(57)【要約】【課題】  外部から物品を見やすくした包装用容器を提供すること。【解決手段】  各端壁２４の少なくとも一部の頂縁３２，３３，３８，３９を包装する物品Ａの高さより低く形成し、前記各端壁２４をそれぞれ外側に膨出するように形成するとともに、前記各側壁１６の頂縁に折曲線１７を介して前記底壁１１の幅寸法未満の長さ寸法とされたハンドル１８を連設したもの。【選択図】      図１
0003122313.tif 000002
【実用新案登録請求の範囲】
【請求項１】
底壁、対向する１対の側壁および対向する１対の端壁を有し、前記底壁上に複数の物品を載置するとともに、前記各側壁および端壁により物品の外周面を保持するようにした包装用容器において、
前記各端壁の少なくとも一部の頂縁を包装する物品の高さより低く形成し、前記各端壁をそれぞれ外側に膨出するように形成するとともに、前記各側壁の頂縁に折曲線を介して前記底壁の幅寸法未満の長さ寸法とされたハンドルを連設したことを特徴とする包装用容器。
【請求項２】
前記底壁は前記各側壁の下縁に連設されており、前記底壁の両側壁間における中央位置ならびに前記各端壁の幅方向における中央位置にはそれぞれ折曲線が形成されていることを特徴とする請求項１に記載の包装用容器。
【考案の詳細な説明】
【技術分野】
【０００１】
本考案は、缶などの物品を包装するのに適した包装用容器に係り、特に、外部から物品を見やすくした包装用容器に関する。
【背景技術】
【０００２】
底壁、対向する１対の側壁および対向する１対の端壁を有し、前記底壁上に複数の物品を載置するとともに、前記各側壁および端壁により物品の外周面を保持するようにした包装用容器は従来から知られている。
【０００３】
図４は、このような包装用容器の従来のものを示すものである。
【０００４】
まず、この従来の包装用容器について説明する。
【０００５】
この包装用容器１は、平板状で長方形をなす底壁２を有しており、この底壁２の各周縁には、対向する１対の側壁３，３および対向する１対の端壁４，４がそれぞれ連設されている。各側壁３および各端壁４はそれぞれ平板状に形成されている。さらに、各側壁３の上縁には、それぞれハンドル５が連設されており、各ハンドル５には、指を挿通するための１対の開口６，６が、両ハンドル５，５において相互に対向するように形成されている。
【考案の開示】
【考案が解決しようとする課題】
【０００６】
前述した従来の包装用容器１においては、各端壁４の上縁の中央部に、包装した物品の上端部を目視しうるようにするため、凹部７が形成されている。
【０００７】
このような従来の包装用容器１に物品Ａを包装すると、店において陳列されている場合、いずれかの端壁４が、正面あるいは斜めに向いていれば、物品Ａの上端部を外部から目視できるが、いずれかの側壁３が正面を向いていると、包装されている物品を外部から目視できず、物品Ａ自体を確認することができないおそれがある。
【０００８】
本考案は、前述した従来の包装用容器における問題点を克服し、外部から物品を見やすくした包装用容器を提供することを目的としている。
【課題を解決するための手段】
【０００９】
前述した目的を達成するため請求項１に係る本考案の包装用容器の特徴は、各端壁の少なくとも一部の頂縁を包装する物品の高さより低く形成し、前記各端壁をそれぞれ外側に膨出するように形成するとともに、前記各側壁の頂縁に折曲線を介して前記底壁の幅寸法未満の長さ寸法とされたハンドルを連設した点にある。  また、請求項２に係る本考案の包装用容器の特徴は、底壁が各側壁の下縁に連設されており、前記底壁の両側壁間における中央位置ならびに各端壁の幅方向における中央位置にそれぞれ折曲線が形成されている点にある。
【考案の効果】
【００１０】
本考案によれば、各端壁の少なくとも一部の頂縁を包装する物品の高さより低く形成し、各端壁をそれぞれ外側に膨出するように形成したので、仮に、いずれかの側壁が正面に位置していても、端壁が膨出しており、また、端壁の少なくとも一部の頂縁が包装する物品の高さより低く形成されていることにより、外部から物品を容易に見ることができる。
【００１１】
また、底壁が各側壁の下縁に連設されており、前記底壁の両側壁間における中央位置ならびに各端壁の幅方向における中央位置にそれぞれ折曲線が形成されているので、底壁および各端壁の折曲線を介して包装用容器を容易に折り畳むことができる。
【考案を実施するための最良の形態】
【００１２】
図３は、本考案に係る包装用容器の実施形態のブランクを示すものである。
【００１３】
図３において、前記ブランク１０は、６個の同一形状の物品を３個ずつ２列に包装しうるような寸法を有している。
【００１４】
そして、このブランク１０は、その長手方向の中央部に底壁１１を有している。この底壁１１は、ほぼ長方形状をなしており、各端縁１２，１２の隅部には、それぞれ端縁１２と曲線１３をもって接続されている傾斜縁１４が形成され、４隅が均等に面取りされたような形状とされている。
【００１５】
前記底壁１１の各側縁には、それぞれ折曲線１５を介して長方形をなす側壁１６が連設されている。前記各側壁１６の高さは物品の高さとほぼ等しく形成されている。
【００１６】
前記各側壁１６の頂縁には、それぞれ折曲線１７を介してハンドル１８が連設されている。両ハンドル１８は、相互に等しいほぼ長方形状をなしており、両側縁１９，１９は、先端側が多少幅狭くなるように急峻な傾斜線により構成されている。また、両ハンドル１８，１８には、相互に対向する位置に、各１対の指挿入用の開口２０，２０が連設されており、各開口２０内の上部には、指保護用の舌片２１が折曲可能に配設されている。
【００１７】
前記各ハンドル１８の長さ寸法は、前記底壁１１の幅寸法未満の寸法とされている。また、前記各ハンドル１８の両肩部には、前記各開口２０に指を挿通して保持した際に、手のひらが傷つかないようにするために、それぞれ円弧状の面取り部２２が形成されている。
【００１８】
一方の前記側壁１６Ａの両側縁には、それぞれ折曲線２３を介して後述する端壁２４の第１半部２５が連設されている。前記各第１半部２５は、前記底壁１１の傾斜縁１４に沿う基端部２６を有している。また、この基端部２６の先端には、折曲線２７を介して第１半部２５の主部２８が連設されており、この主部２８は、前記端縁１２の長さ寸法のほぼ半分の長さ寸法とされている。さらに、前記主部２８の先端には、折曲線２９を介して後述する第２半部３０との接続に用いられる糊代３１が連設されている。
【００１９】
前記各第１半部２５の基端部２６の頂縁３２は、前記折曲線２３から先端側に至るにつれて漸減するように傾斜状に形成されている。また、前記主部２８の頂縁３３は、前記基端部２６の頂縁３２と連なるようにするための彎曲部を介してほぼ水平方向に延在している。さらに、前記糊代３１は、ほぼ長方形状をなしている。
【００２０】
前記各第１半部２５と貼着される前記第２半部３０は、他方の前記側壁１６Ｂの両側縁にそれぞれ折曲線３４を介して連設されている。前記各第２半部３０は、前記底壁１１の傾斜縁１４に沿う基端部３５を有している。また、この基端部３５の先端には、折曲線３６を介して第２半部３０の主部３７が連設されており、この主部３７は、前記端縁１２の長さ寸法のほぼ半分の長さ寸法とされている。この主部３７には、前記第１半部２５の前記糊代３１が接着剤により貼着されるようになっている。
【００２１】
前記各第２半部３０の基端部３５の頂縁３８は、前記折曲線３６から先端側に至るにつれて漸減するように傾斜状に形成されている。また、前記主部３７の頂縁３９は、前記基端部３５の頂縁３８と連なるようにするための彎曲部を介してなだらかな傾斜状に形成されている。
【００２２】
前記底壁１１の幅方向の中央部には、底壁１１を２分する折曲線４０が前記各折曲線１５と平行に形成されている。
【００２３】
また、前記側壁１６Ｂには、パンフレットを挿入するためのスリット４１が形成されている。
【００２４】
つぎに、前述したブランク１０から図１に示す包装用容器４２を形成するには、各端壁２４を構成する第１半部２５の糊代３１の裏面に接着剤を塗布して、同様に各端壁２４を構成する第２半部３０の主部３７の表面に貼着する。すると、両側壁１６Ａ，１６Ｂの両端にそれぞれ各両側壁１６Ａ，１６Ｂに連接された１対の端壁２４，２４が相互に対向するように形成される。
【００２５】
そして、各端壁２４は、主部２８，３７の両側に各基端部２６，３５に位置し、しかも、各端壁２４は、各折曲線２３，２７，２９，３４，３６により長手方向において折曲可能とされているので、前記底壁１１の端縁１２および傾斜縁１４に沿うように屈曲されることになる。したがって、各端壁２４は、各側壁１６の側端より前方に膨出することになる。
【００２６】
また、各端壁２４の頂縁３２，３３，３８，３９は、いずれも包装される物品の高さより低く形成されているので、頂縁３２，３３，３８，３９の上方に物品の上部が外部に露出されることになる。
【００２７】
前述したように、本実施形態の包装用容器４２は、各端壁２４が各側壁１６の側端より前方に突出しているし、また、各端壁２４の高さが包装した物品Ａの高さより低くなるように形成されているので、包装した複数の物品Ａのうち、端壁２４に接するように保持されている物品Ａは、包装用容器４２の側壁１６が正面を向いていても、各端壁２４の各第１半部２５の基端部２６の傾斜状の頂縁３２上、および各端壁２４の各第２半部３０の基端部３５の傾斜状の頂縁３８上から目視可能とされている。したがって、側壁１６が正面を向いていても、包装用容器４２に包装されている物品Ａの現物を外部から確認することができる。
【００２８】
また、店などで物品Ａを包装用容器４２に包装した状態において、積載展示する場合には、各ハンドル１８の長さ寸法は、前記底壁１１の幅寸法未満の寸法とされているので、各ハンドル１８を、図２に示すように、各側壁１６から各折曲線１７に沿って直角に折曲することにより容易に複数の包装用容器４２を重積展示することができる。
【００２９】
さらに、包装用容器４２の底壁１１の幅方向の中央部には、底壁１１を２分する折曲線４０が形成されているとともに、各端壁２４の長手方向の中央部には、それぞれ折曲線２９が形成されているので、これらの各折曲線２９，２９，４０に沿って包装用容器４２を折曲することにより、包装用容器４２を容易に２つ折りして平板状に折り畳むことができる。
【００３０】
なお、本考案は、前述した実施形態に限定されるものではなく、必要に応じて種々の変更が可能である。
【図面の簡単な説明】
【００３１】
【図１】本考案に係る包装用容器の実施形態を示す斜視図
【図２】図１の包装用容器を重積展示した状態を示す斜視図
【図３】図１の包装用容器のブランクを示す平面図
【図４】従来の包装用容器を示す斜視図
【符号の説明】
【００３２】
１０  ブランク
１１  底壁
１６，１６Ａ，１６Ｂ  側壁
１８  ハンドル
２４  端壁
２５  端壁２４の第１半部
２６  第１半部２５の基端部
２８  第１半部２５の主部
３０  端壁２４の第２半部
３１  糊代
３２  基端部２６の頂縁
３３  主部２８の頂縁
３５  第２半部３０の基端部
３７  第２半部３０の主部
３８  基端部３５の頂縁
３９  主部３７の頂縁
４２  包装用容器
【図１】
0003122313.tif 000003
【図２】
0003122313.tif 000004
【図３】
0003122313.tif 000005
【図４】
0003122313.tif 000006